【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】  移動体ネットワークを介して投資対象データの受信及びユーザからの投資のリクエスト信号を送信可能な第１の送受信手段と、
上記投資対象データをユーザに対して告知する告知手段と、
上記告知手段により告知される上記投資対象データに対応する投資対象への投資を指示する投資指示手段と、
上記第１の送受信手段を介して受信される割込み情報に応じて上記告知手段により上記ユーザに対して上記割込みを告知するように制御する第１の制御手段とを有する移動体端末装置と、
上記投資対象データを上記移動体端末装置に上記移動体ネットワークを介して送信するとともに、上記投資指示手段に応じた上記投資のリクエスト信号を受信する第２の送受信手段と、
上記投資のリクエスト信号に応じて、少なくとも、ユーザ識別子、投資対象識別子、上記投資対象に対する上記ユーザの投資額データを記憶する記憶手段と、
上記投資対象に対する投資額データに応じて上記投資対象の価値データを演算するとともに、上記価値データに応じて上記割込み情報を上記第２の送受信手段を介して上記移動体端末装置に送信する第２の制御手段とを有するサーバ装置とを備える移動体投資システム。
【請求項２】  上記第２の制御手段は、上記投資対象データの価値データの変動が所定値以上のとき、上記割込み情報としての上記投資対象識別子、投資対象の価値データを上記移動体端末装置に送信することを特徴とする請求項１に記載の移動体投資システム。
【請求項３】  上記移動体端末装置の第１の送受信手段は、ユーザが以前に指示した上記投資対象への投資を解除するための、売却リクエスト信号を上記第２の送受信手段に送信し、上記サーバ装置の第２の制御手段は、上記売却リクエスト信号に応じて、上記記憶手段に記憶されている上記投資対象データに対する上記ユーザの投資額データが変更されるように制御することを特徴とする請求項１に記載の移動体投資システム。
【請求項４】  上記移動体端末装置は、表示手段を有し、上記第１の制御手段は、上記割り込み情報を上記表示手段を介してユーザに告知することを特徴とする請求項１記載の移動体投資システム。
【請求項５】  上記投資対象は団体であることを特徴とする請求項１に記載の移動体投資システム。
【請求項６】  上記投資対象は個人であることを特徴とする請求項１に記載の移動体投資システム。
【請求項７】  上記投資対象は個人の著作物であることを特徴とする請求項１に記載の移動体投資システム。
【請求項８】  上記第２の送受信手段は、上記投資対象の著作物の売上データを受信し、上記売上データに応じて上記個人の著作物を販売する小売店に対して対価を支払うことを特徴とする請求項７に記載の移動体投資システム。
【請求項９】  移動体ネットワークを介して投資対象データの受信及びユーザからの投資のリクエスト信号を送信可能な第１の送受信手段と、
上記投資対象データをユーザに対して告知する告知手段と、
上記告知手段により告知される上記投資対象データに対応する投資対象への投資を指示する投資指示手段とを有する移動体端末装置と、
上記移動体端末装置の上記ユーザの使用状況を記憶する使用状況記憶手段と、
上記使用状況記憶手段に記憶される上記ユーザの使用状況に応じて上記ユーザの口座より所定金額の引き落とし処理が可能な第１の制御手段とを有する中央管理センタと、
上記投資指示手段に応じた上記投資のリクエスト信号を受信するとともに、上記投資対象データを上記移動体端末装置に上記移動体ネットワークを介して送信する第２の送受信手段と、
上記投資のリクエスト信号に応じて、ユーザ識別子、投資対象識別子、上記投資対象に対する上記ユーザの投資額データを記憶する記憶手段と、
上記投資のリクエスト信号に応じて上記投資額データを演算し、更新する第２の制御手段とを有するサーバ装置と、
予め指定されたユーザの銀行口座の口座管理データを記憶する記憶手段と、
上記サーバ装置の記憶手段に記憶されている上記ユーザの投資額データに応じて自動的に上記ユーザの口座管理データを更新するとともに、上記銀行口座へのアクセス及び上記更新された口座管理データに基づく決済処理を行う第３の制御手段を有する課金センタとを備える移動体投資システム。
【請求項１０】  上記中央管理センタは、更に、上記ユーザに対応して口座用の鍵を記憶する鍵記憶手段を有し、上記課金センタの第３の制御手段は、上記中央管理センタより上記第２の送受信手段を介して上記口座用の鍵を取得し、所定の銀行センタにアクセスすることにより銀行口座に対する決済処理を行うことを特徴とする請求項９に記載の移動体投資システム。
【請求項１１】  上記移動体端末装置は、表示手段を有し、上記割り込み情報を上記表示手段を介して告知することを特徴とする請求項９記載の移動体投資システム。
【請求項１２】  上記投資対象は団体であることを特徴とする請求項９に記載の移動体投資システム。
【請求項１３】  上記投資対象は個人であることを特徴とする請求項９に記載の移動体投資システム。
【請求項１４】  上記投資対象は個人の著作物であることを特徴とする請求項９に記載の移動体投資システム。
【請求項１５】  上記サーバ装置の第２の送受信手段は、上記投資対象の著作物の売上データを受信し、上記売上データに応じて上記個人の著作物を販売する小売店に対して対価を支払うことを特徴とする請求項１４に記載の移動体投資システム。
【請求項１６】  サーバ装置から、移動体ネットワークを介して投資対象データを移動体端末装置に送信するステップと、
上記移動体端末装置によって上記投資対象データを受信し、ユーザに告知するステップと、
上記移動体端末装置によって、上記告知された投資対象データに対応する投資対象への投資を指示し、上記サーバ装置に投資のリクエスト信号を送信するステップと、
上記サーバ装置によって、上記投資のリクエスト信号を受信するとともに、上記投資のリクエスト信号に応じて、少なくとも、ユーザ識別子、投資対象識別子、上記投資対象に対する上記ユーザの投資額データを記憶するステップと、
上記サーバ装置によって上記投資対象に対する投資額データに応じて上記投資対象の価値データを演算するステップと、
上記サーバ装置によって上記価値データに応じて割込み情報を上記移動体端末装置に送信するステップと、
上記移動体端末装置によって上記割込み情報を受信し、上記割込み情報に応じて上記ユーザに対して割込みを告知するステップと
を有する投資方法。
【請求項１７】  サーバ装置から、移動体ネットワークを介して投資対象データを移動体端末装置に送信するステップと、
上記移動体端末装置によって上記投資対象データを受信し、ユーザに告知するステップと、
上記移動体端末装置によって、上記告知された投資対象データに対応する投資対象への投資を指示し、上記サーバ装置に投資のリクエスト信号を送信するステップと、
上記サーバ装置によって、上記投資のリクエスト信号を受信するとともに、上記投資のリクエスト信号に応じて、少なくとも、ユーザ識別子、投資対象識別子、上記投資対象に対する上記ユーザの投資額データを記憶するステップと、
上記サーバ装置によって、上記ユーザ識別子、投資対象識別子、投資額データを課金センタに送信するステップと、
上記課金センタによって、上記投資額データに基づき、予め指定されたユーザの銀行口座の口座管理データを更新するとともに、自動的に上記ユーザの口座へアクセスし、上記口座管理データに応じて決済処理を行うステップと、
中央管理センタによって、上記移動体端末装置のユーザの使用状況を記憶するステップと、
上記中央管理センタによって、上記記憶されたユーザの使用状況に応じて上記ユーザの口座から所定金額を引き落とすステップと
を有する投資方法。
【請求項１８】  移動体ネットワークを介して、投資対象データを移動体端末装置に送信するとともに、上記移動体端末装置からの上記投資対象データに対応する投資対象への投資リクエスト信号を受信する送受信手段と、
上記投資のリクエスト信号に応じて、少なくとも、ユーザ識別子、投資対象識別子、上記投資対象に対する上記ユーザの投資額データを記憶する記憶手段と、
上記投資対象に対する投資額データに応じて上記投資対象の価値データを演算するとともに、上記価値データに応じて割込み情報を上記送受信手段を介して上記移動体端末装置に送信させるように制御する制御手段と
を備えるサーバ装置。
【請求項１９】  移動体ネットワークを介して、投資対象データを移動体端末装置に送信し、投資対象への投資額データを課金センタに送信するともに、上記移動体端末装置からの上記投資対象データに対応する投資対象への投資リクエスト信号を受信する送受信手段と、
上記投資のリクエスト信号に応じて、少なくとも、ユーザ識別子、投資対象識別子、上記投資対象に対する上記ユーザの投資額データを記憶する記憶手段と、
上記投資額データを上記投資のリクエスト信号に応じて更新するとともに、上記投資対象の価値データを演算し、上記価値データを上記課金センタに送信させるよう制御する制御部と
を備えるサーバ装置。
【請求項２０】  移動体ネットワークを介して、サーバ装置から投資対象データを受信するとともに、ユーザからの投資のリクエスト信号を送信可能な送受信手段と、
上記投資対象データをユーザに対して告知する告知手段と、
上記告知手段により告知される上記投資対象データに対応する投資対象への投資を指示する投資指示手段と、
上記送受信手段を介して受信される上記サーバ装置からの割込み情報に応じて上記告知手段により、上記ユーザに対して上記割込みを告知するように制御する制御手段と
を備える移動体端末装置。